(57)【要約】【課題】洗濯槽内に子供が誤って落ちたことに気づくことなく洗濯が実行されてしまうのを抑制できる洗濯機を提供する。【解決手段】洗濯槽２の異常振動及びまたは異常重心移動を検知する異常検知センサ１と、予約洗濯運転スタートキー操作時から実際に洗濯運転が実行されるまでの間の非洗濯運転時に、異常検知センサ１が洗濯槽２の異常振動及びまたは異常重心移動を検知したとき、その後の実際の洗濯運転の実行を禁止する制御部とを備える。【選択図】　　　　　　図４
2004065408.tif 000002
【特許請求の範囲】
【請求項１】
ハウジングと、このハウジング内に配置された洗濯槽と、この洗濯槽に対する洗濯物の出し入れを可能とするために前記ハウジングに設けられた洗濯物出し入れ口と、この洗濯物出し入れ口を開閉する蓋と、前記洗濯槽の異常振動及びまたは異常重心移動を検知する異常検知器と、非洗濯運転時に、前記異常検知器が前記洗濯槽の異常振動及びまたは異常重心移動を検知したとき、その後の洗濯運転の実行を禁止する制御部とを備えたことを特徴とする洗濯機。
【請求項２】
ハウジングと、このハウジング内に配置された洗濯槽と、この洗濯槽に対する洗濯物の出し入れを可能とするために前記ハウジングに設けられた洗濯物出し入れ口と、この洗濯物出し入れ口を開閉する蓋と、前記洗濯槽の異常振動及びまたは異常重心移動を検知する異常検知器と、予約洗濯運転スタート操作時から実際に洗濯運転が実行されるまでの間の非洗濯運転時に、前記異常検知器が前記洗濯槽の異常振動及びまたは異常重心移動を検知したとき、その後の実際の洗濯運転の実行を禁止する制御部とを備えたことを特徴とする洗濯機。
【発明の詳細な説明】
【０００１】
【発明の属する技術分野】
本発明は、洗濯機に関する。
【０００２】
【従来の技術】
一般に、洗濯機においては、予約洗濯運転機能があり、予約洗濯運転スタートキーの操作により、その後実際の洗濯運転実行時点になると、自動的に洗濯運転が実行される。この場合、予約洗濯運転スタートキーの操作から実際の洗濯運転実行時点までの間に小さな子供が誤って洗濯槽内に落ちると、気づかれること無く洗濯運転実行時点になったときに自動的に洗濯が実行されてしまう恐れがある。
【０００３】
また、予約洗濯運転でない場合であっても、予め例えば前日に洗濯槽内に洗濯物と洗剤を投入しておいて翌日朝に洗濯運転スタートキー操作を行う場合、洗濯槽内に誤って子供が落ちて蓋が閉じられていると、そのままスタートキー操作をして洗濯を実行してしまう恐れがある。
【０００４】
特に、蓋前開きタイプのドラム式全自動洗濯乾燥機においては、洗濯槽内に対する洗濯物出し入れ口が低い位置にあり、子供が誤って洗濯槽内に落ちやすく、この状態で洗濯が実行される恐れが増す。また、全自動洗濯乾燥機では、乾燥も実行されるため、特に問題である。
【０００５】
【発明が解決しようとする課題】
本発明は、洗濯槽内に子供が誤って落ちたことに気づくことなく洗濯が実行されてしまうのを抑制できる洗濯機を提供しようとするものである。
【０００６】
【課題を解決するための手段および発明の効果】
上記目的を達成するための本発明の洗濯機は、ハウジングと、このハウジング内に配置された洗濯槽と、この洗濯槽に対する洗濯物の出し入れを可能とするために前記ハウジングに設けられた洗濯物出し入れ口と、この洗濯物出し入れ口を開閉する蓋と、前記洗濯槽の異常振動及びまたは異常重心移動を検知する異常検知器と、非洗濯運転時に、前記異常検知器が前記洗濯槽の異常振動及びまたは異常重心移動を検知したとき、その後の洗濯運転の実行を禁止する制御部とを備えたことを特徴とする。
【０００７】
また、本発明の洗濯機は、ハウジングと、このハウジング内に配置された洗濯槽と、この洗濯槽に対する洗濯物の出し入れを可能とするために前記ハウジングに設けられた洗濯物出し入れ口と、この洗濯物出し入れ口を開閉する蓋と、前記洗濯槽の異常振動及びまたは異常重心移動を検知する異常検知器と、予約洗濯運転スタート操作時から実際に洗濯運転が実行されるまでの間の非洗濯運転時に、前記異常検知器が前記洗濯槽の異常振動及びまたは異常重心移動を検知したとき、その後の実際の洗濯運転の実行を禁止する制御部とを備えたことを特徴とする。
【０００８】
本発明の構成によれば、事前に洗濯物や洗剤を洗濯槽内に入れておき追って洗濯運転スタートキーを操作して洗濯運転を実行させる場合や、予約洗濯運転スタートキーの操作により追って予約運転開始時点が到来した時点で自動的に洗濯運転を開始させる場合、実際の洗濯運転までの間に子供が誤って洗濯槽内に落ちると、洗濯槽が大きく異常振動する。或いは、洗濯槽の重心が異常に移動する。すると、異常検知器がこの異常振動や異常重心移動を検知して子供が洗濯槽内に落ちたことを検知し、その後の洗濯運転スタートキーの操作による洗濯運転の実行が禁止される。或いは、その後に予約運転開始時点が到来しても、実際の洗濯運転の実行が禁止される。
【０００９】
【発明の実施の形態】
図１及び図２は本発明実施例のドラム式全自動洗濯乾燥機の正面断面図及び側面断面図である。洗濯機のハウジング１０内に洗濯槽２が配置されており、この洗濯槽２内には回転自在に洗濯ドラム１１が配置されている。洗濯ドラム１１は、洗濯時は低速回転し、脱水時は高速回転し、脱水後の乾燥時には低速回転する。このとき、洗濯槽２は揺れるが、この揺れを吸収するために防振装置１２が設けられている。そして、この防振装置１２には、洗濯槽２の異常振動及びまたは異常重心移動を検知する異常検知器である異常検知センサ１（重量センサ、偏心センサ等）が設けられている。
【００１０】
前記ハウジング１０の前面には洗濯槽２に対する洗濯物の出し入れを可能とするために洗濯物出し入れ口１３が形成されており、この洗濯物出し入れ口１３は蓋３にて開閉される。また、洗濯槽２の後側には洗濯ドラム１１を回転するダイレクトドライブモータ４が設けられている。
【００１１】
図３は洗濯機のブロック回路図である。制御手段（制御部）１４は、異常検知センサ１の出力や、予約タイマー装置１５で設定された予約洗濯運転時の予約時間や、図示しないキーにより設定された洗濯条件に基づいて、ダイレクトドライブモータ４を駆動制御したり報知部１６を駆動制御したりする。
【００１２】
図４は制御手段１４による予約洗濯運転を行うための制御を示すフローチャートである。非洗濯運転時（例えば、予約洗濯運転スタートキー操作時から予約待機時間が経過するまでの間であって実際に洗濯運転が実行されるまでの間に）、異常検知センサ１が異常振動や異常重心移動を検知しないと、予約待機時間が経過した時点で洗濯運転処理が実行される。一方、非洗濯運転時に、子供が誤って洗濯槽２内に落ちると、洗濯槽２に大きな力が急に加わり、洗濯槽２が異常振動する。或いは、子供が洗濯槽２内に落ちたことにより洗濯槽２の重心が異常に移動する。洗濯槽２内で子供が動くことによっても洗濯槽２の重心が異常に移動する。すると、異常検知センサ１にてその異常が検知されることにより、報知部１６で報知され、その後の洗濯運転（予約洗濯運転）が禁止（停止）される。
【００１３】
図５は制御手段１４による予約洗濯運転を行うための制御を示す他のフローチャートである。図４と相違する点のみ説明するに、非洗濯運転時に異常が検知されると、異常があったことが記録され、予約待機時間が経過した時点で異常有りの記録に基づいて異常が報知部１６で報知され、その後の洗濯運転（予約洗濯運転）が禁止（停止）される。
【００１４】
尚、上述の洗濯機においては、洗濯物の量に応じた水位を決定する機能を有しており、検知された洗濯物量に応じた水位は洗濯コースを表示するＬＥＤを兼用して表示される。
【００１５】
本発明は、以上の実施形態の内容に限定されるものではなく、請求項記載の範囲内において種々の変更が可能である。
【図面の簡単な説明】
【図１】本発明実施例のドラム式全自動洗濯乾燥機の正面断面図である。
【図２】同洗濯機の側面断面図である。
【図３】同洗濯機のブロック回路図である。
【図４】同洗濯機の予約洗濯運転を行うための制御フローチャートである。
【図５】同洗濯機の予約洗濯運転を行うための他の制御フローチャートである。
【符号の説明】
１　　異常検知センサ
２　　洗濯槽
３　　蓋
４　　ダイレクトドライブモータ
１０　　ハウジング
１１　　洗濯ドラム
１２　　防振装置
１３　　洗濯物出し入れ口
１４　　制御手段
１５　　予約タイマー装置
１６　　報知部
【図１】
2004065408.tif 000003
【図２】
2004065408.tif 000004
【図３】
2004065408.tif 000005
【図４】
2004065408.tif 000006
【図５】
2004065408.tif 000007